(57)【特許請求の範囲】
【請求項１】
複数の複素受信信号を取得する取得部と、
前記複数の複素受信信号の振幅を算出する振幅算出部と、
前記複数の複素受信信号のうち最も大きな振幅の複素受信信号を除く複素受信信号の振幅から得られるしきい値との比較結果から干渉信号を検出する検出部と、
前記複数の複素受信信号に基づいて、前記干渉信号を含む複素受信信号の物標信号成分を推定する推定部と、
を備える干渉除去装置。
【請求項２】
前記推定部は、前記複数の複素受信信号に基づいて前記物標信号成分を算出する算出部と、前記干渉信号を含む複素受信信号を前記物標信号成分に置き換える置換部と、を有する、
請求項１に記載の干渉除去装置。
【請求項３】
前記推定部の算出部は、前記複数の複素受信信号の振幅に基づいて前記物標信号成分の振幅を決定する振幅決定部と、前記複数の複素受信信号の位相に基づいて前記物標信号成分の位相を決定する位相決定部と、を有し、
前記推定部の置換部は、前記振幅決定部および前記位相決定部の出力を用いて前記複素受信信号を置き換える、
請求項２に記載の干渉除去装置。
【請求項４】
前記算出部の振幅決定部は、前記複数の複素受信信号の振幅の平均値を前記複素受信信号の振幅として決定する、
請求項３に記載の干渉除去装置。
【請求項５】
前記検出部は、前記複数の複素受信信号のうち、検出対象の複素受信信号の振幅と前記しきい値とを比較して干渉信号を検出する、
請求項２ないし４のいずれか１項に記載の干渉除去装置。
【請求項６】
前記検出部は、前記複素受信信号の振幅が前記しきい値以上のときに、干渉信号を検出する、
請求項５に記載の干渉除去装置。
【請求項７】
前記検出部は、前記複素受信信号の振幅が前記しきい値以上となり、かつ、その複素受信信号の振幅値が他の複素受信信号の振幅に比べて孤立して大きい場合に、干渉信号を検出する、
請求項５に記載の干渉除去装置。
【請求項８】
前記検出部は、前記複数の複素受信信号の振幅の平均値に基づいて設定される値を前記しきい値として定める、
請求項５ないし７のいずれか１項に記載の干渉除去装置。
【請求項９】
前記検出部は、前記複数の複素受信信号のいずれか１つを予め設定された条件に応じて選択的に取得し、取得された複素受信信号の振幅を前記しきい値として定める、
請求項５ないし７のいずれか１項に記載の干渉除去装置。
【請求項１０】
前記検出部は、前記平均値を前記しきい値とする、
請求項８に記載の干渉除去装置。
【請求項１１】
前記検出部は、前記平均値に対して所定の数値を乗じた値を前記しきい値とする、
請求項８に記載の干渉除去装置。
【請求項１２】
前記検出部は、前記平均値に対して所定の数値を加算した値をしきい値とする、
請求項８に記載の干渉除去装置。
【請求項１３】
前記推定部の算出部は、前記物標信号成分を算出するときに、前記干渉信号を含む複素受信信号が除かれた複数の複素受信信号に基づいて前記物標信号成分を算出する、
請求項２に記載の干渉除去装置。
【請求項１４】
前記推定部の算出部は、前記物標信号成分を算出するときに、前記干渉信号を含む複素受信信号が加えられた複数の複素受信信号に基づいて前記物標信号成分を算出する、
請求項２に記載の干渉除去装置。
【請求項１５】
前記複数の複素受信信号は、サンプリング位置が隣接している、
請求項１ないし１４のいずれか１項に記載の干渉除去装置。
【請求項１６】
前記複数の複素受信信号は、同一方位の信号である、
請求項１ないし１４のいずれか１項に記載の干渉除去装置。
【請求項１７】
前記複数の複素受信信号は、前記複数の複素受信信号を受信するアンテナから等距離の信号である、
請求項１ないし１４のいずれか１項に記載の干渉除去装置。
【請求項１８】
前記取得部は、前記複数の複素受信信号を記憶するための記憶部である、
請求項１ないし１７のいずれか１項に記載の干渉除去装置。
【請求項１９】
請求項１ないし１８のいずれか１項に記載の干渉除去装置と、
レーダ受信信号の復調時においてパルス圧縮処理を行うパルス圧縮部と、
を備える信号処理装置。
【請求項２０】
請求項１９に記載の信号処理装置と、
レーダ送信信号を放射して得られるレーダ受信信号を前記信号処理装置へ出力する送受信部と、
を備えるレーダ装置。
【請求項２１】
複数の複素受信信号を取得するステップと、
前記複数の複素受信信号の振幅を算出するステップと、
前記複数の複素受信信号の振幅と該複数の複素受信信号の振幅から得られるしきい値との比較結果から干渉信号を含む複素受信信号を検出するステップと、
前記複数の複素受信信号に基づいて、前記干渉信号を含む複素受信信号の物標信号成分を推定するステップと、
を備える干渉除去方法。
【請求項２２】
請求項２１に記載の干渉除去方法をコンピュータに実行させるためのプログラム。
【発明の詳細な説明】
【技術分野】
【０００１】
本発明は、干渉波を除去するための装置、方法およびプログラムに関する。
【背景技術】
【０００２】
レーダ装置は一般に、電波を発射しその反射波をとらえることによって物標（海上の他船、ブイなど）を検出し、検出した物標をディスプレイ上に表示している。しかしながら、レーダ装置の周囲に存在する他のレーダ装置から電波が発射された場合には、物標はレーダ装置側で正確に表示できない場合がある。これは、物標からの反射波と他のレーダ装置からの電波が重畳し、反射波に干渉波が現れるからである。そのため、従来のレーダ装置（干渉除去装置）では、注目データ（受信データ列のなかのひとつのデータ）に妨害波（干渉波）が存在するか否かを判定し、妨害波が存在する場合には、その注目データをゼロに置き換えるようにしている（特許文献１）。
【先行技術文献】
【特許文献】
【０００３】
【特許文献１】特開２００８−９６３３７号
【発明の概要】
【発明が解決しようとする課題】
【０００４】
特許文献１に開示された干渉波除去装置では、干渉波があると判定された受信データを全てゼロに置き換える処理を行っている。しかしながら、複数のレーダ装置から発射される電波のパルス幅が同程度に長い場合、比較的長い時間幅にわたって反射波が同一の値（ゼロ）に置き換えられる場合がある。このことは、反射波のほとんどがゼロに置き換えられることを意味し、物標を正確にとらえることが難しくなる。
【０００５】
そこで本発明は、上記の状況下においてなされたものであり、干渉波を正確に除去することを目的とする。
【課題を解決するための手段】
【０００６】
上記の課題を解決するための干渉除去装置は、複数の複素受信信号を取得する取得部と、前記複数の複素受信信号の振幅を算出する振幅算出部と、前記複数の複素受信信号から干渉信号を検出する検出部と、前記複数の複素受信信号のうち最も大きな振幅の複素受信信号を除く複素受信信号の振幅から得られるしきい値との比較結果から干渉信号を含む複素受信信号の物標信号成分を推定する推定部と、を備える。
【０００７】
この干渉除去装置によれば、干渉信号を含む複素受信信号の物標信号成分が他の複素受信信号に基づいて推定される。
【０００８】
上記課題を解決するための干渉除去方法は、複数の複素受信信号を取得するステップと、前記複数の複素受信信号から干渉信号を検出するステップと、前記複数の複素受信信号の振幅を算出するステップと、前記複数の複素受信信号の振幅と該複数の複素受信信号の振幅から得られるしきい値との比較結果から干渉信号を含む複素受信信号の物標信号成分を推定するステップと、を備える。
【発明の効果】
【０００９】
本発明によれば、干渉波を正確に除去することができる。
【図面の簡単な説明】
【００１０】
【図１】本発明の実施形態に係るレーダ装置の概略構成を示すブロック図。
【図２】実施形態の表示装置において、レーダ映像の表示例を示す図。
【図３】干渉除去器の構成を示すブロック図。
【図４】メモリに記憶される複素受信信号の内容の一例を示す図。
【図５】干渉信号を検出する処理を説明するための図。
【図６】物標信号成分の振幅を推定する処理を説明するための図。
【図７】レーダ送信信号の送信周期が一定の場合において、物標信号成分の位相を推定する処理を説明するための図。
【図８】レーダ送信信号の送信周期が変化する場合において、物標信号成分の位相を推定する処理を説明するための図。
【図９】レーダ装置において、複素受信信号から干渉信号を除去するために逐次実行される処理のフローチャート。
【図１０】物標信号成分の推定処理における干渉除去器の推定器の動作を示すフローチャート。
【発明を実施するための形態】
【００１１】
以下、本発明のレーダ装置の一実施形態を図面を参照して説明する。実施形態に係るレーダ装置は、例えば船舶などに設けられ、海上の他船やブイ、鳥などの物標を検出するための船舶用レーダ装置である。
【００１２】
本実施形態に係るレーダ装置１００の構成について、図１を参照して説明する。図１は、レーダ装置の概略構成を示すブロック図である。
【００１３】
図１に示すように、このレーダ装置１００は、アンテナ１、送受信部２、信号処理部３および表示装置４を備える。以下、レーダ装置１００を構成する各要素について詳細に説明する。
【００１４】
[アンテナ１の構成]
このレーダ装置１００において、アンテナ１は、鋭い指向性を持ったパルス状電波（レーダ送信信号）のビームを送信するとともに、その周囲にある物標からの反射波を受信する。ビーム幅は、例えば２度である。アンテナ１は、水平面内で回転しながら、上記の送信と受信を繰り返す。回転の周期は、例えば２.５ｓｅｃである。以下では、レーダ送信信号を送信してから次のレーダ送信信号を送信する直前までの期間における送信と受信の動作をスイープとよぶ。１スイープの時間、すなわち送信周期は、例えば１ｍｓである。
【００１５】
アンテナ１では、レーダ送信信号を、ある方向へ集中して発射することで、物標からの反射波（物標信号）を含むレーダ受信信号を受信する。レーダ受信信号は、物標信号成分のほか、他のレーダ装置からの電波干渉波（干渉信号）や受信機雑音などの成分を含む場合もあり得る。
【００１６】
レーダ装置１００から物標までの距離は、その物標信号を含むレーダ受信信号の受信時間と、当該レーダ受信信号に対応するレーダ送信信号の送信時間との時間差から求められる。また、物標の方位は、対応するレーダ送信信号を送信するときのアンテナ１の方位から求められる。
【００１７】
[送受信部２の構成]
送受信部２は、レーダ送信信号を生成してアンテナ１へ送出する。また、送受信部２は、アンテナ１からレーダ受信信号を取り込み、レーダ受信信号を周波数変換する。そのために、この実施形態では、送受信部２は、信号生成器２１、周波数変換器２２（第１周波数変換器）、局部発振器２３、送受切換器２４および周波数変換器２５（第２周波数変換器）を備える。
【００１８】
信号生成器２１は、同一の時間間隔で、または、異なる時間間隔で、中間周波数のレーダ送信信号を生成して周波数変換器２２へ出力する。
【００１９】
この実施形態の説明において、上述した中間周波数のレーダ送信信号を同一の時間間隔で生成することは、レーダ送信信号の送信周期が一定となることを意味する。また、上述した中間周波数のレーダ送信信号を異なる時間間隔で生成することは、レーダ送信信号の送信周期が変化することを意味する。
【００２０】
この実施形態において、信号生成器２１が生成するレーダ送信信号は、例えば、チャープ信号として知られている周波数変調信号とするが、信号生成器２１が位相変調信号や無変調のパルスを生成する場合にも、レーダ装置１００は同様の構成をとることが可能である。
【００２１】
なお、信号生成器２１によって生成されるパルスの帯域幅またはパルス幅は、表示装置４において設定されるレーダ映像の表示距離などに応じて変更することが可能である。
【００２２】
周波数変換器２２は、信号生成器２１の出力信号を局部発振器２３から出力されるローカル信号と混合し、信号生成器２１の出力信号を周波数変換して送受切替器２４へ出力する。周波数変換器２２の出力信号の周波数帯は、例えば、３ＧＨｚ帯または９ＧＨｚ帯などである。
【００２３】
送受切換器２４は、アンテナ１と接続可能に構成されている。送受切換器２４は、アンテナ１と送受信器２との間の信号の切り換えを行う。すなわち、この送受切換器２４では、送信時には、レーダ送信信号が受信回路（すなわち周波数変換器２５）に回り込まないようにし、受信時には、レーダ受信信号が送信回路（すなわち周波数変換器２２）に回り込まないようにする。送受切換器２４としては、例えば、サーキュレータ（Circulator）等の電子部品が用いられる。
【００２４】
周波数変換器２５は、アンテナ１から出力されるレーダ受信信号を送受切換器２４を介して取り込む。そして、周波数変換器２５は、レーダ受信信号を局部発振器２３から出力されるローカル信号と混合し、周波数変換器２５の出力信号を中間周波数に変換して後段の信号処理部３へ出力する。
【００２５】
なお図１の送受信部２では、増幅器やフィルタの図示を省略している。
【００２６】
[信号処理部３の構成]
信号処理部３は、レーダ受信信号をデジタル信号に変換して信号処理を行う。そのために、この実施形態では、信号処理部３は、Ａ／Ｄ（Analog to Digital）変換器３１、直交検波器３２、干渉除去器３３（干渉除去装置）、マッチドフィルタ（Matched Filter）３４（パルス圧縮部）および検波器３５を備える。信号処理部３は、ＡＳＩＣ（Application Specific Integrated Circuit）等のデジタル回路で実現することが可能である。
【００２７】
Ａ／Ｄ変換器３１は、周波数変換器２５（送受信部２）から出力されるアナログ値の中間周波数信号をデジタル信号に変換する。
【００２８】
直交検波器３２は、Ａ／Ｄ変換器３１から出力されるデジタル値の中間周波数信号（以下、レーダ受信信号Ｓと表記する。）を直交検波する。
【００２９】
具体的には、この実施形態では、直交検波器３２は、Ａ／Ｄ変換器３１の出力のレーダ受信信号Ｓから、これと同位相のＩ（In-Phase）信号およびこれとπ／２だけ位相の異なるＱ（Quadrature）信号を生成する。ここで、Ｉ信号，Ｑ信号（以下、適宜「Ｉ」，「Ｑ」と略記する。）はそれぞれレーダ受信信号Ｓの複素エンベロープ信号Ｚの実数部，虚数部である。以下では、複素エンベロープ信号Ｚをたんに複素受信信号Ｚとよぶ。また、複素エンベロープ信号のように複素数で表される信号を複素信号とよぶ。複素受信信号Ｚの振幅は、（Ｉ２＋Ｑ２）１／２で表され、複素受信信号Ｚの位相は、ｔａｎ−１（Ｑ／Ｉ）で表される。
【００３０】
干渉除去器３３は、直交検波器３２の出力信号（Ｉ，Ｑ）から干渉信号を除去して、マッチドフィルタ３４へ出力する。この干渉信号の除去処理については、後に詳細に説明する。
【００３１】
マッチドフィルタ３４は、レーダ受信信号の復調時においてパルス圧縮処理を行う。具体的には、マッチドフィルタ３４では、干渉除去器３２の出力信号（Ｉ，Ｑ）を取り込み、取り込まれた複素受信信号Ｚのパルス幅を圧縮する。このパルス幅の圧縮によって、表示装置４において表示されるレーダ映像の解像度が高くなる。
【００３２】
マッチドフィルタ３４の出力信号は、マッチドフィルタ３４の入力信号（複素受信信号）とレーダ送信信号の複素エンベロープ信号との相互相関関数で表される。例えば、レーダ送信信号がパルス幅Ｔのチャープ信号であるときに、マッチドフィルタ３４に、そのチャープ信号と相似な波形をもつ信号（例えば、物標信号）が入力した場合には、その信号のパルス幅は、マッチドフィルタ３４によって圧縮される。すなわち、マッチドフィルタ３４の出力信号のパルス幅は、入力信号のパルス幅Ｔよりも小さくなる。一方、レーダ送信信号がパルス幅Ｔのチャープ信号であるときに、マッチドフィルタ３４に、このチャープ信号とは異なる波形をもつ信号（例えば、他のレーダ装置から発射された正弦波パルスの干渉信号）が入力した場合には、その信号のパルス幅は、マッチドフィルタ３４によって伸張される。すなわち、この場合にマッチドフィルタ３４が入力する信号（例えば、干渉信号）のパルス幅をＴ’とすると、マッチドフィルタ３４の出力信号のパルス幅は、Ｔ＋Ｔ’の程度にまで伸張される。
【００３３】
検波器３５は、マッチドフィルタ３４の出力を検波する。ここで、マッチドフィルタ３４への入力信号と同様に、マッチドフィルタ３４の出力信号もＩ信号とＱ信号からなる複素信号である。検波器３５は、検波によりこの複素信号の振幅を得る。
【００３４】
そして、検波器３５は、検波により得られた振幅のデータＳ’を表示装置４へ出力する。
【００３５】
[表示装置４の構成]
表示装置４は、図示しないＣＰＵ、メモリおよび入力装置などのデバイスを備える。この表示装置４では、各スイープで得られた振幅のデータＳ’を画像表示用のメモリに記憶するとともに、記憶したデータを所定の順序でこのメモリから読み出し、映像としてＬＣＤ（Liquid Crystal Display）などに表示する。
【００３６】
この表示装置４に表示されるレーダ映像について、図２を参照して説明する。図２は、表示装置４に表示されるレーダ映像の表示例を示す図である。
【００３７】
図２に示すように、レーダ映像は、レーダ装置（アンテナ）の位置を中心に鳥瞰的に表示される。表示の原点は、レーダ装置の位置に対応する。表示装置４の操作者は、物標からの反射波の振幅（物標信号）がレーダ映像上で表示される位置から、その物標の方位と距離を認識することが可能になる。
【００３８】
例えば図２では、２つの信号Ｌ１，Ｌ２は、他のレーダ装置からの干渉信号に起因するものであって、これらの干渉信号がレーダ送信信号と異なる波形を有するものであることを示している。すなわち、信号Ｌ１，Ｌ２は、マッチドフィルタ３４によって伸張された干渉信号である。
【００３９】
２つの信号Ｐ１，Ｐ２は、物標からの反射波から得られたレーダ受信信号であって、マッチドフィルタ３４においてパルス圧縮処理が行われることによって、全体として、物標を指す形状となっていることを示している。
【００４０】
[干渉除去器３３の構成]
次に、信号処理部３の干渉除去器３３の構成について図３を参照して説明する。図３は、干渉除去器３３の構成を示すブロック図である。
【００４１】
図３に示すように、干渉除去器３３は、メモリ３３１（記憶部）と、振幅算出器３３２と、検出器３３３と、推定器３３４とを備える。
【００４２】
メモリ３３１は、複数の複素受信信号を取得して記憶する。具体的には、この実施形態では、メモリ３３１は、直交検波器３２から出力された複数の複素受信信号のＩ信号およびＱ信号を記憶する。
【００４３】
なお、図３ではメモリ３３１が、直交検波器３２（干渉除去器３３の外部装置）から複数の複素受信信号を取得する取得部の機能を実現する場合について示しているが、別の構成をとることも可能である。例えば、振幅算出器３３２および推定器３３３が、上記取得器の機能を兼ね備える構成としてもよい。
【００４４】
さらに、メモリ３３１は干渉除去器３３とは別に構成し、干渉除去器３３に外付けする構成とすることも可能である。
【００４５】
また、本実施形態のメモリ３３１は、振幅算出器３３２および推定器３３４に対して、複数のスイープ（この実施形態では、５スイープ）で得られたＩ信号とＱ信号を送出する。具体的には、メモリ３３１は、各スイープにおいて送信開始から一定の時間が経過した時点で受信された５つの複素受信信号（Ｚｉ−２，Ｚｉ−１，Ｚｉ，Ｚｉ＋１，Ｚｉ＋２）に対応するＩ信号（Ｉｉ−２，Ｉｉ−１，Ｉｉ，Ｉｉ＋１，Ｉｉ＋２）およびＱ信号（Ｑｉ−２，Ｑｉ−１，Ｑｉ，Ｑｉ＋１，Ｑｉ＋２）を、振幅算出器３３２および推定器３３４に対して送出することになる。送信開始からの経過時間は、アンテナからの距離に対応する。すなわち、電波の伝搬速度をｃとおくと、アンテナから距離Ｄだけ離れた地点に存在する物標からの反射波は、送信開始から２Ｄ/ｃだけの時間が経過した時点で受信されることになる。このように、「送信開始からの経過時間」と「アンテナからの距離」は一対一に対応する。そこで、以下では、複数のスイープにおいて送信開始から一定の時間が経過した時点で受信される受信信号を「等距離の受信信号」と表現する。
【００４６】
ここで、上述した添字ｉ−２，ｉ−１，ｉ，ｉ＋１，ｉ＋２は、連続する５スイープの順序を示している。添字ｉ−２は最初のスイープに対応し、添字ｉ＋２は最後のスイープに対応する。除去処理の対象となるスイープは添字ｉのスイープである。
【００４７】
なお、以下の説明において、複数の複素受信信号の各々に共通の説明では各複素受信信号が単に複素受信信号Ｚとして参照される。また、複数のＩ信号の各々に共通の説明では各Ｉ信号が単にＩ信号として参照され、複数のＱ信号の各々に共通の説明では各Ｑ信号が単にＱ信号として参照される。
【００４８】
図４は、メモリ３３１に記憶される複素受信信号の内容の一部を示す図である。図４に示すように、メモリ３３１には、レーダ装置１００から等距離の複数の複素受信信号（Ｚｉ−２，Ｚｉ−１，Ｚｉ，Ｚｉ＋１，Ｚｉ＋２）に対応する各Ｉ信号（Ｉｉ−２，Ｉｉ−１，・・・，Ｉｉ＋２）が記憶されている。各Ｉ信号（Ｉｉ−２，Ｉｉ−１，・・・，Ｉｉ＋２）は、レーダ装置１００からの距離Ｄを表す整数ｄおよびアンテナ１の方位を表す整数ｎ（図４では、ｎ＝ｉ−２，ｉ−１，ｉ，ｉ＋１，ｉ＋２）に対応付けられて記憶される。
【００４９】
例えばアンテナ１の回転周期が２.５ｓｅｃ、送信間隔が１ｍｓならば、アンテナ１は１スイープあたりに０.１４４°だけ回転する。このとき、例えばビーム幅が２°であれば、約１４スイープにわたって同一物標からの反射波が受信されることになる。従って、図４に示すＺiの座標（ｎ、ｄ）が、ある物標の方位と距離に対応するものである場合には、Ｚｉ−２，Ｚｉ−１，・・・，Ｚｉ＋２はすべてその物標からの反射波の成分（物標信号成分）を含むことになる。
【００５０】
以下では、複素受信信号Ｚiの座標（ｎ、ｄ）に対応する方位と距離を、Ｚiのサンプリング位置とよぶ。図４の例では、各複素受信信号（Ｚｉ−２，Ｚｉ−１，Ｚｉ，Ｚｉ＋１，Ｚｉ＋２）のサンプリング位置は方位方向に隣接している。
【００５１】
なお、図４の上記説明では、各Ｉ信号（Ｉｉ−２，Ｉｉ−１，・・・，Ｉｉ＋２）について示したが、このメモリ３３１は、各Ｉ信号（Ｉｉ−２，Ｉｉ−１，・・・，Ｉｉ＋２）と対となるＱ信号（Ｑｉ−２，Ｑｉ−１，・・・，Ｑｉ＋２）も記憶している。
【００５２】
再び図３を参照して、振幅算出器３３２について説明する。
【００５３】
振幅算出器３３２は、メモリ３３１から、複数の複素受信信号（この実施形態では、Ｚｉ−２，Ｚｉ−１，・・・，Ｚｉ＋２）に対応する各Ｉ信号および各Ｑ信号（この実施形態では、Ｉｉ−２，Ｉｉ−１，・・・，Ｉｉ＋２およびＱｉ−２，Ｑｉ−１，・・・，Ｑｉ＋２）を取り込む。そして、振幅算出器３３２は、各Ｉ信号および各Ｑ信号から、各複素受信信号の振幅（この実施形態では、Ａｉ−２，Ａｉ−１，Ａｉ，Ａｉ＋１，Ａｉ＋２）を算出して、検出器３３３へ送出する。
【００５４】
振幅算出器３３２は、複素受信信号Ｚの振幅を算出する場合、{（対応するＩ信号）２＋（対応するＱ信号）２}１／２を計算してその振幅を得る。例えばＺｉの振幅Ａｉが算出される場合、Ａｉは、（Ｉｉ２＋Ｑｉ２）１／２から求められる。
【００５５】
検出器３３３は、複数の複素受信信号の振幅に基づいて干渉信号を検出する。等距離における複数の複素受信信号は、干渉信号が存在しなければ、同程度の振幅を有すると考えられるため、複数の複素受信信号の振幅から干渉信号の有無が判定される。
【００５６】
本実施形態の検出器３３３は、振幅算出器３３２から出力される複数の複素受信信号の各振幅を用いて、干渉信号を検出する。具体的には、検出器３３３は、複数の複素受信信号の振幅（Ａｉ−２，Ａｉ−１，・・・，Ａｉ＋２）の平均値（平均値に基づいて設定される値）をしきい値とする。そして、検出器３３３は、そのしきい値と、検出対象の複素受信信号の振幅Ａｉとの比較に基づいて、検出対象の複素受信信号Ｚｉにが干渉信号を含むか否かを判定する。
【００５７】
検出器３３３は、例えばＡｉがしきい値以上のときには、複素受信信号Ｚｉが干渉信号を含むと判定する。逆に、検出器３３３は、Ａｉがしきい値よりも小さいときには、複素受信信号Ｚｉが干渉信号を含まないと判定する。この判定処理について、図５を参照して説明する。図５は、干渉信号の判定処理を説明するための図である。
【００５８】
図５の例では、参照される４つの複素受信信号（Ｚｉ−２，Ｚｉ−１，Ｚｉ＋１，Ｚｉ＋２）の各振幅Ａｉ−２，Ａｉ−１，Ａｉ＋１，Ａｉ＋２の値がほぼ同程度となっており、検出対象の複素受信信号Ｚｉの振幅Ａｉのみがしきい値Ｔｈよりも大きい場合を想定する。この場合には、複素受信信号Ｚｉが干渉信号を含むと判定される。
【００５９】
しきい値Ｔｈは、上述した例に限られず、様々な観点から設定可能である。例えば、複数の複素受信信号の振幅のいずれか１つ（例えば、３番目に大きい振幅、または、２番目に小さい振幅、など）を予め「しきい値」に設定することを条件としておき、干渉信号の有無を判定する場合には、その条件に応じて選択した１つの振幅を「しきい値」とするようにしてもよい。
【００６０】
また、検出器３３３が複数の複素受信信号の振幅の平均値を「しきい値」とする場合、複数の複素受信信号の振幅（図５では、Ａｉ−２，Ａｉ−１，Ａｉ，Ａｉ＋１，Ａｉ＋２）の中から、最も大きい振幅（図５では、Ａｉ）を算定対象から外し、その外された振幅を除く複素受信信号の振幅の平均値（＝（Ａｉ−２＋Ａｉ−１＋Ａｉ＋１＋Ａｉ＋２）／４：図５参照）を「しきい値」とするようにしてもよい。さらに、所定の順位に属する振幅（例えば、２番目に大きい振幅と３番目に大きい振幅）の平均値を「しきい値」とするようにしてもよい。
【００６１】
さらに、上述した平均値に対して所定の数値を乗じた値（平均値に基づいて設定される値）を「しきい値」とする、または、上述した平均値に対して所定の数値を加算した値（平均値に基づいて設定される値）を「しきい値」とするようにしてもよい。
【００６２】
次に、再び図３を参照して、推定器３３４について説明する。
【００６３】
推定器３３４は、メモリ３３１から取り込んだ各複素受信信号（Ｚｉ−２，Ｚｉ−１，・・・，Ｚｉ＋２）に基づいて、干渉信号を含む複素受信信号の物標信号成分を推定する。そのために、この実施形態では、推定器３３４は、算出器３３４１および置換器３３４２を備える。
【００６４】
算出器３３４１は、複数の複素受信信号に基づいて物標信号成分を算出する。置換器３３４２は、干渉信号成分を含む複素受信信号を、推定された物標信号成分に置き換える。
【００６５】
また、この推定器３３４において、算出器３３４１は、振幅決定器３３４１１および位相決定器３３４１２を有する。振幅決定器３３４１１は、複数の複素受信信号（Ｚｉ−２，Ｚｉ−１，・・・，Ｚｉ＋２）の振幅に基づいて物標信号成分の振幅を決定する。物標信号成分の振幅の決定の処理については、後に詳細に説明する。
【００６６】
位相決定器３３４１２は、複数の複素受信信号（Ｚｉ−２，Ｚｉ−１，・・・，Ｚｉ＋２）の位相に基づいて物標信号成分の位相を決定する。物標信号成分の位相の決定の処理については、後に詳細に説明する。
【００６７】
推定器３３４では、検出器３３３から、干渉信号を検出したことを示す信号（干渉検出信号）を受信することによって、物標信号成分を推定するが、干渉検出信号を受信しなければメモリ３３１から取り込んだ複素受信信号（Ｉｉ，Ｑｉ）をそのままマッチドフィルタ３４へ出力する。
【００６８】
複素受信信号Ｚの振幅値は、{（対応するＩ信号）２＋（対応するＱ信号）２}１／２から得られる。
【００６９】
[物標信号成分の振幅の決定処理]
次に、物標信号成分の振幅の決定処理における振幅決定器３３４１１の処理について図６を参照して説明する。図６で説明される振幅の決定処理は、振幅決定器３３４１１が、複数の複素受信信号の振幅値の平均値を物標信号成分の振幅として決定する場合の例である。図６は、物標信号成分の振幅の決定処理を説明するための図である。
【００７０】
図６の例では、参照される各振幅Ａｉ−２，Ａｉ−１，Ａｉ＋１，Ａｉ＋２を有する複素受信信号が物標で反射して得られており、Ａｉ−２，Ａｉ−１，Ａｉ＋１，Ａｉ＋２の値がほぼ同程度となっている場合に、Ｚｉの振幅値Ａｅｉが決定される場合を想定する。この場合には、図６に例示するように、Ａｅｉの値は、２つの振幅（Ａｉ−１，Ａｉ＋１）の平均値となるように設定される。図６では、Ａｉ−１とＡｉ＋１の平均値からＡｅｉを得る様子を破線で示してある。
【００７１】
なお、この図６では、２つの振幅（Ａｉ−１，Ａｉ＋１）の平均値が振幅Ａｅｉとされる場合について説明するが、単一の振幅（この実施形態では、Ａｉ−１またはＡｉ＋１、など）、または、３つ以上の振幅（この実施形態では、（Ａｉ−２，Ａｉ−１，Ａｉ＋１）、（Ａｉ−１，Ａｉ＋１，Ａｉ＋２）、（Ａｉ−２，Ａｉ−１，Ａｉ＋１，Ａｉ＋２）、など）の平均値が振幅Ａｅｉとされる場合もあり得る。その場合には、振幅決定器３３４１１は、その単一または複数に対応する振幅の平均値を、複素受信信号Ｚｉに含まれる物標信号成分の振幅として決定するようにすればよい。
【００７２】
また、図６の例では、振幅決定器３３４１１は、複素受信信号Ｚｉを算定対象から外して物標信号成分の振幅を決定する場合について示しているが、複素受信信号Ｚｉを算定対象に含めて決定するようにしてもよい。例えば算定対象が各複素受信信号（Ｚｉ−１，Ｚｉ，Ｚｉ＋１）の振幅（Ａｉ−１，Ａｉ，Ａｉ＋１）の場合には、（Ａｉ−１，Ａｉ，Ａｉ＋１）の平均値が、振幅Ａｅｉとして決定されることになる。
【００７３】
[物標信号成分の位相の決定処理]
次に、物標信号成分の位相の決定処理における位相決定器３３４１２の処理について図７を参照して説明する。図７で説明される位相の決定処理は、レーダ送信信号の送信周期が一定であるか否かによって異なる。
【００７４】
例えば物標がアンテナ１に対して運動をしているときには、アンテナ１に対する物標の相対速度の値に応じて、複素受信信号の位相はスイープとともに変化する。例えばレーダ送信信号の周波数を３ＧＨｚとすれば、その波長は１０ｃｍである。送信周期を１ｍｓとし、物標（例えば船）がアンテナ１に向かって５ｍ／ｓの速さで接近している場合を想定する。この場合には、アンテナ１と物標との距離はスイープごとに５ｍｍだけ変化する。すなわち、レーダ送信信号がアンテナ１と物標との間を往復する距離は、スイープごとに１ｃｍだけ変化する。この長さ（１ｃｍ）は上記波長の１／１０に等しいから、物標信号成分の位相は、スイープごとに３６°（＝３６０°／１０）ずつ変化することになる。
【００７５】
図７は、レーダ送信信号の送信周期が一定のときに、干渉信号を含む複素受信信号の位相が決定される処理を説明するための図である。図７の説明では、一例として、レーダ送信信号の送信周期を１ｍｓｅｃとする。
【００７６】
図７の例では、参照される複素受信信号（Ｚｉ−２，Ｚｉ−１，Ｚｉ＋１，Ｚｉ＋２）の各位相θｉ−２，θｉ−１，θｉ＋１，θｉ＋２が、それぞれ、２５０°,３５０°,１９０°,２９０°となるときに、Ｚｉの位相θｅｉが決定される場合を想定する。この場合には、図７に例示するように、θｅｉの値（すなわち、θｉの値が置き換えられる値）は、θｉ−１からθｅｉへの位相変化量が、θｉ−２（＝２５０°）からθｉ−１（＝３５０°）への位相変化量（この実施形態では、１００°の増加）、または、θｉ＋１（＝１９０°）からθｉ＋２（＝２９０°）への位相変化量（この実施形態では、１００°の増加）と等しくなるように設定される。すなわち、θｅｉの値は、ｍｏｄ（２×θｉ−１−θｉ−2）、または、ｍｏｄ（２×θｉ＋１−θｉ＋2）から、９０°に決定される。
【００７７】
ここで、ｍｏｄ（ｘ）は、ｘを３６０で割った余りを表す。例えばｍｏｄ（７３０）はｍｏｄ（３６０×２＋１０）＝１０、ｍｏｄ（−７３０）はｍｏｄ（３６０×（−３）＋３５０）＝３５０である。
【００７８】
なお、図７では、各位相の変化量からθｅｉを得る様子を破線で示してある。
【００７９】
図８は、レーダ送信信号の送信周期が変化するときに、干渉信号を含む複素受信信号の位相が決定される処理を説明するための図である。図８の説明では、一例として、レーダ送信信号の送信周期が、１ｍｓｅｃ、または、０．５ｍｓｅｃとする場合を想定する。さらに図８では、参照される複素受信信号の各位相（θｉ−２，θｉ−１，θｉ＋１，θｉ＋２）が、それぞれ、１０°,２０°,５０°,７０°となっており、各複素受信信号に対応するレーダ送信信号の送信周期がＴｉ−１（＝０．５ｍｓｅｃ），Ｔｉ（＝１ｍｓｅｃ），Ｔｉ＋１（＝０．５ｍｓｅｃ），Ｔｉ＋２（＝０．５ｍｓｅｃ）の場合を想定する。
【００８０】
この例では、θｅｉ’の値（すなわち、θｉの値が置き換えられる値）は、θｉ−２（＝１０°）からθｉ−１（＝２０°）への単位時間当たりの位相変化量（この実施形態では、１ｍｓｅｃ当たりに２０°の増加）、または、θｉ＋１（＝５０°）からθｉ＋２（＝７０°）への単位時間当たりの位相変化量（この実施形態では、１ｍｓｅｃ当たりに２０°の増加）と等しくなるように設定される。すなわち、θｅｉ’の値は、ｍｏｄ（θｉ−１＋（Ｔｉ/Ｔｉ−１）×（θｉ−１−θｉ−２））、または、ｍｏｄ（θｉ＋１−（Ｔｉ＋２/Ｔｉ＋１）×（θｉ＋２−θｉ＋１））から、９０°に決定される。図８では、各位相の変化量からθｅｉ’を得る様子を破線で示してある。
【００８１】
なお、干渉信号を含む複素受信信号の位相は、図７の例で決定されるθｅｉと図８の例で決定されるθｅｉ’との平均値とするようにしてもよい。
【００８２】
さらに、図７および図８ともに、２つの位相（（θｉ−２，θｉ−１）、または、（θｉ＋１，θｉ＋２））の変化量から、θｅｉ、または、θｅｉ’を得る場合について説明したが、３つ以上の位相（この実施形態では、（θｉ−２，θｉ−１，θｉ＋１）、（θｉ−１，θｉ＋１，θｉ＋２）、など）の変化量から、θｅｉまたはθｅｉ’を得る場合もあり得る。その場合には、位相決定器３３４１２は、複数の組の位相の単位時間当たりの変化量に基づいて、θｅｉまたはθｅｉ’の値を決定するようにすればよい。
【００８３】
[干渉除去器の動作]
次に、本実施形態のレーダ装置１００における干渉除去器３３の動作について図３および図９に関連付けて説明する。
【００８４】
図９は、干渉除去器３３の動作を示すフローチャートである。
【００８５】
図９において、振幅値算出器３３２は、メモリ３３１から複数の複素受信信号の各Ｉ信号および各Ｑ信号を取得する（ステップＳ１０）。この動作の例では、等距離における連続する５スイープから得られる複素受信信号が取得されるために、ステップＳ１０において、５つの複素受信信号（Ｚｉ−２，Ｚｉ−１，Ｚｉ，Ｚｉ＋１，Ｚｉ＋２）の各Ｉ信号（Ｉｉ−２，Ｉｉ−１，Ｉｉ，Ｉｉ＋１，Ｉｉ＋２）および各Ｑ信号（Ｑｉ−２，Ｑｉ−１，Ｑｉ，Ｑｉ＋１，Ｑｉ＋２）が取得される。
干渉除去器３３における一連の処理（ステップＳ１０〜Ｓ１２）は、すべての複素受信信号Ｚｉに対して行われる。
【００８６】
そして、検出器３３３は、複数の複素受信信号に基づいて干渉信号を検出する（ステップＳ１１）。そのために、本実施形態では、先ず振幅算出器３３２は、取得された各Ｉ信号および各Ｑ信号から、対応する複素受信信号の振幅（Ａｉ−２，Ａｉ−１，Ａｉ，Ａｉ＋１，Ａｉ＋２）を算出する。複素受信信号の振幅は、振幅算出器３３２が、{（対応するＩ信号）２＋（対応するＱ信号）２}１／２を計算することで得られる。
【００８７】
次に検出器３３３は、複数の複素受信信号の振幅を用いて干渉信号を検出する。この検出処理は、この実施形態では、具体的には以下のように行われる。すなわち先ず、検出器３３３は、振幅算出器３３２の出力（すなわち、Ｉｉ−２，Ｉｉ−１，・・・，Ｉｉ＋２、および、Ｑｉ−２，Ｑｉ−１，・・・，Ｑｉ＋２）から複数の複素受信信号の振幅の平均値を算出する。次に検出器３３３は、この平均値をしきい値Ｔｈ（図５参照）とし、しきい値Ｔｈと検出対象の複素受信信号の振幅Ａｉとを比較する。そして、検出器３３３は、Ａｉがしきい値Ｔｈ以上の場合には、その検出処理の対象となる複素受信信号Ｚｉが干渉信号を含むと判定する（ステップＳ１１のＹｅｓ）。
【００８８】
ステップＳ１１の判定がＹｅｓの場合には、検出器３３３が、干渉検出信号を推定器３３４に対して出力するので、物標信号成分を推定するときの一連の処理（ステップＳ１２）が行われる。逆に、ステップＳ１１の判定がＮｏの場合には、上述した一連の処理（ステップＳ１２）は行われない。すなわち、推定器３３４は、物標信号成分の推定処理を行わずに当該複素受信信号Ｚｉをマッチドフィルタ３４へ出力する。
【００８９】
ステップＳ１１の判定がＹｅｓの場合には、推定器３３４は、検出器３３３からの干渉検出信号を受信した後、複数の複素受信信号（Ｚｉ−２，Ｚｉ−１，・・・，Ｚｉ＋２）の各Ｉ信号（Ｉｉ−２，Ｉｉ−１，・・・，Ｉｉ＋２）および各Ｑ信号（Ｑｉ−２，Ｑｉ−１，・・・，Ｑｉ＋２）に基づいて、ステップＳ１１で判定された干渉信号を含む複素受信信号Ｚｉの物標信号成分を推定する。各Ｉ信号（Ｉｉ−２，Ｉｉ−１，・・・，Ｉｉ＋２）および各Ｑ信号（Ｑｉ−２，Ｑｉ−１，・・・，Ｑｉ＋２）は、ステップＳ１０の取得処理の時にメモリ３３１から取得される、または、検出器３３３からの干渉検出信号を受信した時にメモリ３３１から取得される。
【００９０】
ステップＳ１２の推定処理時の推定器３３４の動作について、図１０を参照して説明する。
【００９１】
図１０は推定処理時の推定器３３４の動作を示すフローチャートである。
【００９２】
図１０において、算出器３３４１は先ず、干渉信号を含む複素受信信号Ｚｉの物標信号成分の振幅を決定する（ステップＳ１２１）。
【００９３】
この決定処理は、この実施形態では、具体的には以下のように行われる。すなわち、先ず振幅決定器３３４１１は、メモリ３３１から取得した各Ｉ信号（Ｉｉ−２，Ｉｉ−１，・・・，Ｉｉ＋２）および各Ｑ信号（Ｑｉ−２，Ｑｉ−１，・・・，Ｑｉ＋２）から、対応する複素受信信号（Ｚｉ−２，Ｚｉ−１，・・・，Ｚｉ＋２）の振幅を算出する。複素受信信号の振幅は、振幅決定器３３４１１が、{（対応するＩ信号）２＋（対応するＱ信号）２}１／２を計算することで得られる。
【００９４】
そして、振幅決定器３３４１１は、複数の複素受信信号の振幅から、干渉信号を含む複素受信信号Ｚｉの物標信号成分の振幅を決定する。例えば同一物標からの反射波の振幅は、ビーム幅程度の方位範囲ではほぼ一定になると考えられるため、複素受信信号の振幅の平均値が複素受信信号Ｚｉの振幅として決定される。図６の例では、２つの振幅（Ａｉ−１，Ａｉ＋１）の平均値が、複素受信信号Ｚｉの物標信号成分の振幅Ａｅｉとして決定されることになる。
【００９５】
次に、算出器３３４１は、干渉信号を含む複素受信信号Ｚｉの物標信号成分の位相を決定する（ステップＳ１２２）。
【００９６】
この決定処理は、この実施形態では、具体的には以下のように行われる。すなわち、先ず位相決定器３３４１２は、メモリ３３１から取得した各Ｉ信号（Ｉｉ−２，Ｉｉ−１，・・・，Ｉｉ＋２）および各Ｑ信号（Ｑｉ−２，Ｑｉ−１，・・・，Ｑｉ＋２）から、対応する複素受信信号（Ｚｉ−２，Ｚｉ−１，・・・，Ｚｉ＋２）の位相を算出する。複素受信信号の位相、すなわちＩ信号を実部、Ｑ信号を虚部とする複素数の偏角は、位相決定器３３４１２が、ｔａｎ−１{（対応するＱ信号）／（対応するＩ信号）}を計算することで得られる。
【００９７】
そして、位相決定器３３４１２は、複数の複素受信信号の位相から、干渉信号を含む複素受信信号Ｚｉの物標信号成分の位相を決定する。例えば同一物標からの複素受信信号の位相は、方位方向に沿って規則的に変化すると考えられるため、複素受信信号Ｚｉの物標信号成分の位相は、外挿または内挿によって決定される。図７の例では、θｉ−２からθｉ−１への位相変化量、または、θｉ＋１からθｉ＋２への位相変化量から物標信号成分の振幅θｅｉ（＝９０°）が決定されることになる。また、図８の例では、θｉ−２からθｉ−１への単位時間当たりの位相変化量、または、θｉ＋１からθｉ＋２への単位時間当たりの位相変化量から物標信号成分の振幅θｅｉ’（＝４０°）が決定されることになる。これにより、物標信号成分の位相は、他の複素受信信号の位相から推定することが可能になる。
【００９８】
なお、図１０では、推定器３３４がＳ１２１→Ｓ１２２の順序で処理を行う場合について説明したが、逆の順序で処理を行うことも可能である。
【００９９】
次に、置換器３３４２は、ステップＳ１１で判定された干渉信号を含む複素受信信号Ｚｉ（Ｉｉ，Ｑｉ）を、ステップＳ１２で推定された物標信号成分の振幅と位相とに対応した値に置き換える（ステップＳ１２３）。具体的には、置換器３３４２は、振幅決定器３３４１１および位相決定器３３４１２の出力（Ａｅｉ，θｅｉまたはθｅｉ’）を用いて複素受信信号Ｚｉ（Ｉｉ，Ｑｉ）を置き換える。
【０１００】
図６および図７で示した推定処理の例では、複素受信信号Ｚｉの振幅と位相（Ａｉ，θｉ）が（Ａｅｉ，θｅｉ）に置き換えられるため、（Ａｅｉ，θｅｉ）に対応する複素受信信号が得られることになる。この複素受信信号のＩ信号をＩｅｉ、Ｑ信号Ｑｅｉとおくと、Ｉ信号Ｉｅｉは、Ａｅｉ×ＣＯＳ（θｅｉ）で得られ、Ｑ信号Ｑｅｉは、Ａｅｉ×ＳＩＮ（θｅｉ）で得られる。置換器３３４２は、マッチドフィルタ３４に対し、ＩｅｉおよびＱｅｉを出力する。これにより、複素受信信号から干渉信号成分が取り除かれて、物標信号成分が復元される。
【０１０１】
マッチドフィルタ３４では、置換器３３４２の出力信号（Ｉ，Ｑ）を取り込んでパルス幅を圧縮する。さらに検波器３５では、マッチドフィルタ３４の出力の振幅を算出する。そして、検波器３５は、検波後のデジタル信号、すなわち、振幅のデータＳ’を表示装置４へ出力する。
【０１０２】
表示装置４は、検波器３５から出力された振幅のデータＳ’を受信し、そのデータＳ’に基づくレーダ映像（図２参照）を表示画面に表示する。これにより、物標の位置が認識される。
【０１０３】
以上説明したように、本実施形態のレーダ装置１００（干渉除去器３３）では、干渉信号を含む複素受信信号の物標信号成分を推定するときに、複数のスイープで得られた各複素受信信号の変化により最適な物標信号成分を推定するものである。具体的には、推定される物標信号成分の振幅は、他の複素受信信号の振幅の平均値とされ、推定される物標信号成分の位相は、他の複素受信信号の位相から補間または外挿される。これにより、複素受信信号が干渉信号を含む場合において、物標信号成分が復元される。そのため、他のレーダ装置から発射される電波のパルス幅が、レーダ装置１００から放射されるレーダ送信信号のパルス幅と同程度に長い場合であっても、比較的長い時間幅にわたって複素受信信号が同一の値（ゼロ）に置き換えられることがない。従って、干渉信号を正確に除去して、物標信号が検出しやすくなる。
【０１０４】
また、レーダ装置１００（干渉除去器３３）では、干渉信号の検出時において、複数の複素受信信号に基づいて干渉信号を検出する。もし複素受信信号が干渉信号を含む場合、その複素受信信号は、干渉信号を含まない複素受信信号と比べて、振幅値が異なると考えられる。そのため、複数の複素受信信号を比較することで干渉信号を正確に検出することが可能となる。
【０１０５】
＜実施形態の変更例＞
上述した実施形態に係るレーダ装置は例示に過ぎず、これに基づいて以下に示すような変更を行うことが可能である。
【０１０６】
上記実施形態では、本発明のレーダ装置の一例として船舶用レーダ装置を適用した場合について説明したが、レーダ装置の他の例として、パルス電波を利用可能なレーダ装置であればよく、例えば、気象レーダ、港湾監視レーダ等の用途に適用されるレーダ装置でもよい。
【０１０７】
上記実施形態の干渉除去器３３では、振幅算出器３３２を構成した例について示したが、複数の複素受信信号から干渉信号を検出することができれば、振幅算出器３３２を構成する必要はない。
【０１０８】
さらに、信号処理部３、または、干渉除去器３３の形態として、例えば、半導体モジュール、半導体チップとすることも可能である。
【０１０９】
上記実施形態のレーダ装置では、干渉信号の検出処理時において、５スイープで得られた５つの複素受信信号を参照する場合について説明したが、このような例に限られない。５つの複素受信信号を参照することは、干渉信号を検出するための一方策に過ぎない。干渉信号を検出するために、２スイープで得られる２つの複素受信信号（例えば、（Ｚｉ−１，Ｚｉ）、（Ｚｉ，Ｚｉ＋１），（Ｚｉ−２，Ｚｉ）、または、（Ｚｉ＋２，Ｚｉ）など）、または、３スイープ以上で得られる複数の複素受信信号を参照して検出され得る。
【０１１０】
また、上記実施形態では、検出器３３３は、複素受信信号Ｚｉの振幅がしきい値Ｔｈ以上のときに干渉信号を検出する場合を例に説明したが、複素受信信号Ｚｉの振幅Ａｉがしきい値Ｔｈ以上となり、かつ、振幅Ａｉが他の複素受信信号の振幅に比べて孤立して大きい場合（例えば、Ａｉの値と、所定の他の複素受信信号の振幅（最小値、最大値、または、平均値、など）との差が、所定値以上である場合）に、干渉信号を検出するようにしてもよい。この場合にも、干渉信号を正確に検出することができる。
【０１１１】
上記実施形態のレーダ装置では、物標信号成分（振幅または／および位相）の推定処理時において、５スイープで得られた５つの複素受信信号（すなわち、Ｉ信号およびＱ信号）を参照する場合について説明したが、このような例に限られない。５つの複素受信信号を参照することは、物標信号成分を推定するための一方策に過ぎない。複素受信信号の物標信号成分を推定するために、２スイープで得られる２つの複素受信信号（例えば、（Ｚｉ−１，Ｚｉ）、（Ｚｉ，Ｚｉ＋１）、（Ｚｉ−２，Ｚｉ）、または、（Ｚｉ＋２，Ｚｉ）など）、または、３スイープ以上の複数の複素受信信号（すなわち、Ｉ信号およびＱ信号）を参照して推定され得る。
【０１１２】
上記実施形態のレーダ装置では、干渉信号の検出および物標信号成分の推定のための各複素受信信号（Ｚｉ−２，Ｚｉ−１，Ｚｉ，Ｚｉ＋１，Ｚｉ＋２）は、レーダ装置から等距離の信号とした場合を例に説明したが、これに限られない。干渉信号の検出および物標信号成分の推定を行うことができれば、例えば同一方位の信号である各複素受信信号を用いるようにしてもよい。あるいは、所定の範囲の距離（ｄ）と所定の範囲の方位（ｎ）とで定義される領域（例えば、２×２の領域，２×３の領域，３×２の領域）内の各複素受信信号を用いるようにしてもよい。
【０１１３】
上記実施形態のレーダ装置では、信号処理部３（干渉除去器３３）をハードウエア構成とした場合を例について示したが、信号処理部３（干渉除去器３３）の機能をソフトウエアによって実現するようにしてもよい。この場合には、ＲＯＭ等の記録媒体からプログラムを読み込んだＣＰＵ等の制御部が、実施形態の信号処理部３（干渉除去器３３）の機能（例えば、図９および図１０に示した一連の処理等）を実現することが可能となる。
【符号の説明】
【０１１４】
１  アンテナ
２  送受信部
３  信号処理部
４  表示装置
３３  干渉除去器
３３１  メモリ
３３２  振幅算出器
３３３  検出器
３３４  推定器
３３４１  算出器
３３４２  置換器
３３４１１  振幅決定器
３３４１２  位相決定器
【図１】
0005628590.tif 000002
【図２】
0005628590.tif 000003
【図３】
0005628590.tif 000004
【図４】
0005628590.tif 000005
【図５】
0005628590.tif 000006
【図６】
0005628590.tif 000007
【図７】
0005628590.tif 000008
【図８】
0005628590.tif 000009
【図９】
0005628590.tif 000010
【図１０】
0005628590.tif 000011